(57)【要約】【課題】鏡を片手に持って化粧をする場合でも、必要な化粧用具や化粧品が雑然とならず、鏡の極く近くに置いておくことができる鏡付き化粧用具を提供すること。【解決手段】鏡本体１に対して相対的に開閉可能に設けられた蓋体３を有する鏡付き化粧用具において、前記蓋体３の内面３ａに、表面が再粘着可能な粘着部５を設けたことを特徴とする鏡付き化粧用具であり、好ましくは、前記蓋体３を任意の開閉角度で保持する保持手段を有することを特徴とする鏡付き化粧用具。【選択図】        図１
2007136007.tif 000002
【特許請求の範囲】
【請求項１】
鏡本体に対して相対的に開閉可能に設けられた蓋体を有する鏡付き化粧用具において、前記蓋体の内面に、表面が再粘着可能な粘着部を設けたことを特徴とする鏡付き化粧用具。
【請求項２】
前記蓋体を任意の開閉角度で保持する保持手段を有することを特徴とする請求項１記載の鏡付き化粧用具。
【請求項３】
前記粘着部の表面は、凹凸状に形成されていることを特徴とする請求項１又は２記載の鏡付き化粧用具。
【請求項４】
前記蓋体の内面の少なくとも一部は凹凸状に形成されており、該凹凸状の蓋体内面に沿って前記粘着部が設けられることにより、該粘着部の表面が凹凸状をなしていることを特徴とする請求項１又は２記載の鏡付き化粧用具。
【請求項５】
前記粘着部の表面は、前記蓋体の内面から突出していることを特徴とする請求項１〜４のいずれかに記載の鏡付き化粧用具。
【請求項６】
前記粘着部は、ウレタンゲルからなることを特徴とする請求項１〜５のいずれかに記載の鏡付き化粧用具。
【発明の詳細な説明】
【技術分野】
【０００１】
本発明は鏡付き化粧用具に関し、詳しくは、片手に持って化粧する場合でも化粧用具や化粧品が雑然となることのない鏡付き化粧用具に関する。
【背景技術】
【０００２】
女性にとって化粧をする際に鏡は必需品であり、外出先や移動中の車内等で化粧をする際には、コンパクトで携帯に便利な手鏡を、片手で持ってあるいはテーブル等の台上に載置して使用することが多い。
【０００３】
ところで、化粧用具は化粧部位に応じて様々な種類が用いられている。例えばチーク、アイシャドウ、口紅を塗る際には化粧ブラシが用いられ、眉毛、アイライン、リップラインを塗る際にはペンシルも用いられている。
【０００４】
このため、化粧をする際には、化粧ブラシやペンシル等の化粧用具を複数本用意し、それらを適宜使い分けながら行わなくてはならない。また、その他にも、チーク、アイシャドウ、口紅等の化粧品を収容したパレットも使用しなくてはならないため、手元がこれらの化粧用具や化粧品で一杯になってしまう。特に、外出先や移動中の車内等において片手で手鏡を持ちながら化粧をする場合は、もう一方の手で一度に複数種類の化粧用具や化粧品を持ちながら行わなくてはならず、きわめて煩わしさを覚えるものであった。
【０００５】
また、化粧ブラシやペンシル等の化粧用具を台上に置いて化粧をする場合でも、自動車や電車等の移動中の車内では振動によって転がってしまい、化粧用具が台上で雑然としてしまう問題もある。
【０００６】
従来、特許文献１には、開閉蓋のヒンジ部分に一列に複数本の化粧ブラシを挿して保持し、蓋を開いたときに化粧ブラシが所定角度で広がるようにすることにより、所望の化粧ブラシを取り出し易くしたコンパクト型化粧ブラシ保有装置が開示されている。
【特許文献１】２００１−６１５４２号公報
【発明の開示】
【発明が解決しようとする課題】
【０００７】
特許文献１に記載の技術は化粧ブラシが雑然とならず、しかも必要な化粧ブラシを一目で確認できて取り出し易い利点がある。
【０００８】
しかしながら、実際に化粧ブラシを用いて化粧をする場合には、化粧品を収容したパレット等を同時に使用しなくてはならず、更に、ペンシル等のその他の化粧用具を使用する場合もあるため、この化粧ブラシ保有装置に加えて化粧品やその他の化粧用具を同時に手に持って行わなくてはならない。
【０００９】
また、複数色の化粧品を手鏡を見ながら化粧ブラシを用いて塗り分けたり塗り重ねたりするような場合、手鏡からそれほど目を離さずに化粧品を確認できるようにするために、化粧品を手鏡の極く近くに置いておくことが望まれる。この場合には、片手で手鏡と化粧品とを同時に持って化粧をしなくてはならない。
【００１０】
従って、結局、化粧ブラシ保有装置を片手に持って、もう一方の手で化粧ブラシを取り出して化粧をする必要があり、特許文献１に記載の技術では化粧をする際の煩わしさは何ら解消されないという問題がある。
【００１１】
そこで、本発明は、鏡を片手に持って化粧をする場合でも、必要な化粧用具や化粧品が雑然とならず、鏡の極く近くに置いておくことができる鏡付き化粧用具を提供することを課題とする。
【００１２】
本発明の他の課題は、以下の記載により明らかとなる。
【課題を解決するための手段】
【００１３】
上記課題は、以下の各発明によって解決される。
【００１４】
（請求項１）
鏡本体に対して相対的に開閉可能に設けられた蓋体を有する鏡付き化粧用具において、前記蓋体の内面に、表面が再粘着可能な粘着部を設けたことを特徴とする鏡付き化粧用具。
【００１５】
（請求項２）
前記蓋体を任意の開閉角度で保持する保持手段を有することを特徴とする請求項１記載の鏡付き化粧用具。
【００１６】
（請求項３）
前記粘着部の表面は、凹凸状に形成されていることを特徴とする請求項１又は２記載の鏡付き化粧用具。
【００１７】
（請求項４）
前記蓋体の内面の少なくとも一部は凹凸状に形成されており、該凹凸状の蓋体内面に沿って前記粘着部が設けられることにより、該粘着部の表面が凹凸状をなしていることを特徴とする請求項１又は２記載の鏡付き化粧用具。
【００１８】
（請求項５）
前記粘着部の表面は、前記蓋体の内面から突出していることを特徴とする請求項１〜４のいずれかに記載の鏡付き化粧用具。
【００１９】
（請求項６）
前記粘着部は、ウレタンゲルからなることを特徴とする請求項１〜５のいずれかに記載の鏡付き化粧用具。
【発明の効果】
【００２０】
本発明によれば、鏡を片手に持って化粧をする場合でも、必要な化粧用具や化粧品が雑然とならず、鏡の極く近くに置いておくことができる鏡付き化粧用具を提供することができる。
【発明を実施するための最良の形態】
【００２１】
以下、本発明の実施の形態について図面を用いて説明する。
【００２２】
図１は、本発明に係る鏡付き化粧用具を示す斜視図である。図中、１は鏡本体、２は鏡本体１に取り付けられた鏡、３は鏡本体１に対して相対的に開閉可能に設けられた蓋体である。ここでは鏡付き化粧用具の一例として化粧用手鏡について説明する。
【００２３】
蓋体３は、鏡本体１の一端にヒンジ部４によって開閉可能に取り付けられている。  図１では蓋体３が開いた使用状態を示しているが、非使用時、蓋体３は鏡２の表面を覆うように鏡本体１に対して閉じられるようになっている。
【００２４】
蓋体３の内面３ａ（非使用時に鏡２の表面を覆う面）には粘着部５が設けられている。
【００２５】
粘着部５は、少なくとも表面が再粘着性を有するものであればよく、その形態は特に限定されない。例えば、蓋体３の内面３ａに粘着剤を塗布して粘着層を形成する方法、粘着シートにより形成する方法等が挙げられる。中でも粘着シートにより形成することが容易に粘着部５を形成できるために好ましい。
【００２６】
ここで再粘着性とは、粘着性を利用して化粧ブラシ等の物品を表面に接着して保持することができると共に該物品を表面から剥離可能であり、一旦剥離した後、再度表面に接着して保持することができる機能を繰り返し果たすことができることをいう。
【００２７】
図１では大判の粘着シート５ａ、中判の粘着シート５ｂ、小判の粘着シート５ｃの３種、合計５枚の粘着シートにより蓋体３の内面３ａに粘着部５を形成しており、粘着シート５ａがパレットＡ等のような大型の化粧用具を接着するための領域、粘着シート５ｂが大きめの化粧ブラシＢやペンシル等の化粧用小物を接着するための領域、粘着シート５ｃが小さめの化粧ブラシＢやペンシル等の化粧用小物を接着するための領域としている。但し、本発明において、粘着部５の大きさや数は図示するものに何ら限定されない。
【００２８】
粘着シート５ａ、５ｂ、５ｃは、その表面が再粘着性を有していることにより、化粧の際に必要なチーク、アイシャドウ、口紅等の化粧品ａが収容されたパレットＡや化粧ブラシＢ等の化粧用具を一時的に接着させて保持させておくことができる。これら化粧用具は粘着シート５ａ、５ｂ、５ｃから容易に剥離可能であるため、必要な化粧ブラシＢをその都度剥離して使用し、使用後は再度粘着シート５ａ、５ｂ、５ｃに接着させて保持しておくことができる。
【００２９】
従って、外出先や移動中の車内等で、化粧用手鏡を片手に持って化粧をする場合でも、必要な化粧用具や化粧品を蓋体３に保持しておくことができるので、もう一方の手でこれら化粧用具や化粧品を持つ必要がなくなり、化粧作業が煩わしくなるようなことはない。
【００３０】
また、複数本の化粧ブラシＢやペンシル等の化粧用具を使用する場合でも、それらを蓋体３ａに整然と接着して保持しておくことができ、それらが周囲に雑然とするようなこともなくなる。
【００３１】
しかも、化粧品ａを収容したパレットＡを鏡２の極く近くに置いた状態で化粧をすることもできるので、鏡２から大きく目をそらさずにパレットＡ内の化粧品ａを確認しながら化粧をすることもできるようになる。
【００３２】
このような粘着シート５ａ、５ｂ、５ｃとしては、ウレタンゲルからなる粘着シートを好ましく用いることができる。例えば株式会社エクシールコーポレーション製のゲルタックシート（商品名）、家具類等の転倒防止シートを好ましく用いることができる。
【００３３】
粘着部５の表面は、蓋体３の内面３ａから突出していることが好ましい。これにより、図１に示すように化粧ブラシＢを接着させる際、その先端のブラシ部ｂを粘着部５の表面からはみ出させるようにしておけば、ブラシ部ｂが接着することを防止できる。また、粘着部５の表面にブラシ部ｂの化粧品が付着することによって粘着性が低下することも防止できる。
【００３４】
粘着部５を粘着シート５ａ、５ｂ、５ｃにより形成する場合は、粘着シート５ａ、５ｂ、５ｃを蓋体３の内面３ａに接着剤を用いて固着させておくこともできるが、粘着シート５ａ、５ｂ、５ｃの裏面の粘着性を利用して、蓋体３の内面３ａに再粘着可能に貼着しておくだけでもよい。粘着シート５ａ、５ｂ、５ｃを蓋体３の内面３ａに再粘着可能に貼着しておけば、例えば右きき用、左きき用の別や、頻繁に使用する化粧用具に合った配置にする等、使用者の好みに応じて粘着シート５ａ、５ｂ、５ｃの配置を自由にレイアウトすることができる。
【００３５】
また、粘着部５の表面は平坦面とするものに限らず、パレットＡのような接着面が平坦面であるような物品を接着した際の剥離抵抗を低減して剥離を容易にするため、表面を凹凸状にすることも好ましい。
【００３６】
図２は、粘着シート５０の表面を凹凸状とした一例を示しており、この例では粘着シート５０の表面に多数の凸部５０ａを形成することによって凹凸状としている。凸部５０ａは断面が円弧状となるいわゆるドーム状に形成してもよいし、上面を平坦面としてもよい。
【００３７】
また、凸部５０ａは点状に散在させるものに限らず、多数の平行な線状（ストライプ状）に形成したり、表面を波状に形成したりすることによって凸部５０ａとすることもできる。
【００３８】
また、図３は、蓋体３の内面３ａを凹凸状に形成した例である。この態様では、蓋体３の内面３ａの一部（図１の粘着シート５ａに相当する領域）に波状の凹凸部３ｂを形成し、その凹凸部３ｂの形状に沿うように、蓋体３の内面３ａに沿って粘着部５を形成している。ここでは粘着シート５１を貼着することによって粘着部５としている。これにより、粘着部５の表面も凹凸状となり、図３（ｂ）に示すように、その表面にパレットＡのような接着面が平坦面となる物品を接着しても、ほぼ線で接触する状態となって接着面積を減らすことができるため、剥離しにくくなることはない。
【００３９】
蓋体３の内面３ａを凹凸状に形成することによって粘着部５の表面を凹凸状とする場合は、蓋体３の内面３ａの全面に形成するようにしてもよく、また、内面３ａを凹凸状とする領域を複数箇所に亘って形成するようにしてもよい。
【００４０】
蓋体３は、鏡本体１に対してヒンジ部４を中心にして２７０°以上の角度で開くことにより、図４に示すように、化粧用手鏡を蓋体３を台等の上に載置して使用する際の脚部を兼用することもできる。このとき、蓋体３の内面３ａ側が台等の表面に接するようになるが、この内面３ａには粘着部５が設けられているため、この粘着部５の粘着力によって台等の上に接着し、車両等の振動によって鏡本体１が不意に移動したり倒れたりする心配はない。
【００４１】
また、粘着部５の粘着力を利用することにより、鏡本体１を例えばかばんの表面、車両のシートの表面、自動車のダッシュボードの表面等のような非平坦面に載置することもできるので、外出先等で不意に化粧をする必要が生じた場合でも、鏡本体１を置く場所を選ばずに鏡２を見ながら化粧をすることができる。
【００４２】
蓋体３は、鏡本体１に対して任意の開閉角度で保持する保持手段を有していることが好ましい。これにより、鏡本体１と蓋体３との角度を一定に保持しておくことができるため、特に化粧用手鏡を片手で持ちながら化粧をする場合に、蓋体３の内面３ａに接着した化粧用具の使い勝手がよくなるため便利である。
【００４３】
保持手段は、蓋体３の開閉角度を任意の角度で保持できる構造であれば特に問わないが、鏡本体１に蓋体３を開閉可能に取り付けているヒンジ部４に設けられていることが好ましい。このような保持手段としては、例えばヒンジ部４における鏡本体１と蓋体３との接触端面に、互いに噛み合うと共に蓋体３の開閉動作時には互いに乗り越え可能な凹凸を形成しておくことにより蓋体３の開閉角度を段階的に保持する方法、鏡本体１と蓋体３との接触端面の摩擦抵抗を大きくしておく方法等を挙げることができる。
【００４４】
図５、図６は、本発明に係る鏡付き化粧用具の別の態様を示している。図５は斜視図、図６は部分断面図である。図１と同一符号の部位は同一構成を示しているので、ここでの説明は省略する。
【００４５】
この鏡付き化粧用具は、図１と同様の化粧用手鏡であり、蓋体３の内面３ａに発光部材６と導光板７とを有している。
【００４６】
発光部材６は、例えば複数個のＬＥＤ（発光ダイオード）を用いることができる。発光部材６は、蓋体３の内面３ａの一部、例えば図示するヒンジ部４の近傍に横一列等に配列し、その上面に透明、半透明、乳白色等のプラスチック板やすりガラス等のガラス板からなるカバー板８を設け、該発光部材６からの光を前面に向けて出射させ、鏡２を覗いている使用者の顔を照射することができるようになっている。
【００４７】
導光板７は、例えば透明なアクリル板により形成され、その一側端面７ａを発光部材６に近接させて蓋体３の内面３ａに設けられている。導光板７は、発光部材６から出射した光をその側端面７ａから入射させ、該入射方向と直交する表面７ｂから出射させる。光の入射する側端面７ａ以外の側端面及び光の出射する表面と反対面には、漏光を防止するため、反射テープや反射シート等を設けておくことが好ましい。
【００４８】
なお、図中の符号９は発光部材６を発光させるためのボタン電池である。
【００４９】
粘着部５は、この導光板７の表面に設けられている。ここで、粘着部５は導光板７とほぼ同面積の一枚の粘着シート５２からなり、導光板７の表面に貼着されている。粘着シート５２の一部には開口部５２ａが形成され、導光板７の表面７ｂの一部が露出している。これにより、例えば化粧ブラシをその表面に接着して保持しておく場合、その先端のブラシ部を開口部５２ａ内に配置させるようにすれば、ブラシ部の粘着を防止することができる。
【００５０】
また、発光部材６からの光の一部は、導光板７の側端面７ａから入射して、粘着シート５２の開口部５２ａから露出している表面７ｂから外部に出射するようになっている。
【００５１】
ここで、開口部５２ａを、例えば図示するハート型等の任意の形状に形成しておけば、粘着シート５２に形成された開口部５２ａを通して、任意の形状で発光部材６からの光を出射させることができ、意匠性にも優れた鏡付き化粧用具を構成することができる。
【００５２】
図５、図６において、粘着部５は透明であってもよいが、この光による意匠的効果を高めるためには、半透明又は着色されていることが好ましい。粘着部５が透明である場合には、開口部５２ａと同一形状の開口部を形成した半透明又は着色シートを粘着部５と導光板７との間に設けるようにしてもよい。
【００５３】
なお、図５、図６において、粘着部５は一枚の粘着シートによるものに限らず、複数枚の粘着シートにより形成するようにしてもよい。また、粘着シートの表面の一部又は全部に、図２に示したような凸部を形成してもよい。
【００５４】
本発明において鏡付き化粧用具は、以上説明した化粧用手鏡に限らず、鏡を有する化粧用具であれば同様に適用することができる。例えば、本発明に係る鏡付き化粧用具としては、蓋部分に鏡を有し、内部に化粧用具を収容可能な化粧ポーチの形態であってもよい。この場合はポーチ本体の底部に上記同様の粘着部を設けることにより、内部に収容した化粧用具が雑然とすることを防止することができる。
【００５５】
図７は、鏡付き化粧用具に好ましく用いることのできる粘着シートセット１０を示している。粘着シートセット１０は、台紙１１の表面に、大きさや形状を異ならせた様々な形態の粘着シート５３が剥離可能に設けられている。粘着シート５３は、表面が再粘着可能な粘着シートである。
【００５６】
従って、この粘着シートセット１０によれば、必要に応じて台紙１１から任意の粘着シート５３を剥がし、鏡付き化粧用具に貼着することにより、図１に示す化粧用手鏡と同様の機能を有する鏡付き化粧用具を簡単に構成することができる。また、この粘着シート５３を化粧ポーチ本体の底部に貼着すれば、上記同様に、内部に収容した化粧用具が雑然とすることを防止することのできる化粧ポーチとすることができる。
【図面の簡単な説明】
【００５７】
【図１】本発明に係る鏡付き化粧用具を示す斜視図
【図２】（ａ）は表面に凸部を形成した粘着シートを示す斜視図、（ｂ）は（ａ）のア−ア線に沿う断面図
【図３】（ａ）蓋体の内面を波状に形成した例を示す部分斜視図、（ｂ）はその断面図
【図４】蓋体を脚部として使用した状態を示す斜視図
【図５】本発明に係る鏡付き化粧用具の他の態様を示す斜視図
【図６】図５の部分断面図
【図７】粘着シートセットを示す平面図
【符号の説明】
【００５８】
１：鏡本体
２：鏡
３：蓋体
３ａ：内面
３ｂ：凹凸部
４：ヒンジ部
５：粘着部
５ａ〜５ｂ、５０、５１、５２、５３：粘着シート
５０ａ：凸部
５２ａ：開口部
６：発光部材
７：導光板
７ａ：側端面
７ｂ：表面
８：カバー板
９：ボタン電池
【図１】
2007136007.tif 000003
【図２】
2007136007.tif 000004
【図３】
2007136007.tif 000005
【図４】
2007136007.tif 000006
【図５】
2007136007.tif 000007
【図６】
2007136007.tif 000008
【図７】
2007136007.tif 000009